(57)【要約】【課題】  従来の携帯電話装置では、それぞれの機能のいずれか１つの機能しか動作しないため、情報再生出力を行っている最中に着信があった場合、携帯電話装置が使用中として処理がなされ、その結果、着信拒否が行われる。この場合、情報再生出力を継続しているために、重要な電話が着信しても応答できないという問題点があった。また、通話している最中は、所望の音楽を再生できず、使用者に不快感を与えるという問題点もあった。【解決手段】  音楽再生時に、着信があることを認識することが可能な携帯電話装置が開示される。この携帯電話装置は、通話手段と、音楽再生手段とを備え、音楽再生手段による音楽再生中に着呼があった場合、着呼を報知する。これにより、音楽再生時に、着信があることを認識することが可能となる。【選択図】  図１
2006197625.tif 000002
【特許請求の範囲】
【請求項１】
通話手段と、
音楽再生手段とを備え、
前記音楽再生手段による音楽再生中に、前記通話手段により通話を行う場合、前記通話の通話音声を前記音楽再生中の再生音楽に重畳する、携帯電話装置。
【請求項２】
電話番号を記憶する電話番号記憶手段をさらに備え、
前記音楽再生手段による音楽再生中に、前記電話番号記憶手段に記憶されている電話番号と通話を行う場合、前記通話の通話音声を前記音楽再生中の再生音楽に重畳する、請求項１に記載の携帯電話装置。
【請求項３】
前記通話の通話音声の音量と前記音楽再生中の再生音楽の音量とを任意に設定可能である、請求項１に記載の携帯電話装置。
【請求項４】
前記電話番号記憶手段に記憶されている電話番号に対応して前記通話の通話音声の音量と前記音楽再生中の再生音楽の音量とを任意に設定可能である、請求項２に記載の携帯電話装置。
【請求項５】
通話手段と、
音楽再生手段とを備え、
前記通話手段による通話中に、第３者からの割り込み着呼があった場合、前記割り込み着呼に対応した音楽を前記音楽再生手段により再生し、前記再生音楽を前記通話の通話音声に重畳する、携帯電話装置。
【請求項６】
前記再生音楽の音量と前記通話の通話音声の音量とを制御する音量制御手段をさらに備え、
前記割り込み着呼に対応する再生音楽を前記通話の通話音声に重畳する際に、前記音量制御手段により前記通話の通話音声の音量を小さくする、請求項５に記載の携帯電話装置。
【請求項７】
前記再生音楽の音量と前記通話の通話音声の音量とを制御する音量制御手段をさらに備え、
前記第３者からの割り込み着呼に応答した場合に、通話者および待機者の３者間の接続状態が継続している間は、前記音量制御手段により前記割り込み着呼に対応する再生音楽の音量を低くして、前記通話の通話音声に重畳させる、請求項５に記載の携帯電話装置。
【発明の詳細な説明】
【技術分野】
【０００１】
この発明は、携帯電話装置に関し、より特定的には、通話手段と音楽再生手段とを有する携帯電話装置に関する。
【背景技術】
【０００２】
通常、携帯電話装置には通話機能の他に複数の機能が搭載されている。例えば、通話機能の他に、情報（音声や音楽を含む）再生出力機能や情報（テキストやイメージ）表示機能を有する携帯電話装置が知られている。
【特許文献１】特開平４−２４３３５８号公報
【発明の開示】
【発明が解決しようとする課題】
【０００３】
しかし、従来の携帯電話装置では、それぞれの機能のいずれか１つの機能しか動作しないため、情報再生出力を行っている最中に着信があった場合、携帯電話装置が使用中として処理がなされ、その結果、着信拒否が行われる。この場合、情報再生出力を継続しているために、重要な電話が着信しても応答できないという問題点があった。また、通話している最中は、所望の音楽を再生できず、使用者に不快感を与えるという問題点もあった。
【０００４】
この発明の一つの目的は、音楽再生時に、着信があることを認識することが可能な携帯電話装置を提供することである。
【０００５】
この発明のもう一つの目的は、音楽再生を停止することなく基本機能である通話機能を確保することが可能な携帯電話装置を提供することである。
【課題を解決するための手段】
【０００６】
請求項１に係る携帯電話装置は、通話手段と、音楽再生手段とを備え、前記音楽再生手段による音楽再生中に、前記通話手段により通話を行う場合、前記通話の通話音声を前記音楽再生中の再生音楽に重畳する。
【０００７】
請求項２に係る携帯電話装置は、請求項１に記載の発明において、電話番号を記憶する電話番号記憶手段をさらに備え、前記音楽再生手段による音楽再生中に、前記電話番号記憶手段に記憶されている電話番号と通話を行う場合、前記通話の通話音声を前記音楽再生中の再生音楽に重畳する。
【０００８】
請求項３に係る携帯電話装置は、請求項１に記載の発明において、前記通話の通話音声の音量と前記音楽再生中の再生音楽の音量とを任意に設定可能である。
【０００９】
請求項４に係る携帯電話装置は、請求項２に記載の発明において、前記電話番号記憶手段に記憶されている電話番号に対応して前記通話の通話音声の音量と前記音楽再生中の再生音楽の音量とを任意に設定可能である。
【００１０】
請求項５に係る携帯電話装置は、通話手段と、音楽再生手段とを備え、前記通話手段による通話中に、第３者からの割り込み着呼があった場合、前記割り込み着呼に対応した音楽を前記音楽再生手段により再生し、前記再生音楽を前記通話の通話音声に重畳する。
【００１１】
請求項６に係る携帯電話装置は、請求項５に記載の発明において、前記再生音楽の音量と前記通話の通話音声の音量とを制御する音量制御手段をさらに備え、前記割り込み着呼に対応する再生音楽を前記通話の通話音声に重畳する際に、前記音量制御手段により前記通話の通話音声の音量を小さくする。
【００１２】
請求項７に係る携帯電話装置は、請求項５に記載の発明において、前記再生音楽の音量と前記通話の通話音声の音量とを制御する音量制御手段をさらに備え、前記第３者からの割り込み着呼に応答した場合に、通話者および待機者の３者間の接続状態が継続している間は、前記音量制御手段により前記割り込み着呼に対応する再生音楽の音量を低くして、前記通話の通話音声に重畳させる。
【発明の効果】
【００１３】
この発明の一の局面による携帯電話装置では、通話手段と音楽再生手段とを備えている。そして、音楽再生手段による音楽再生中に着呼があった場合、着呼を報知する。このように構成することによって、音楽再生時に、着信があることを認識することができる。
【００１４】
上記の一の局面による携帯電話装置において、好ましくは、音楽再生手段による音楽再生中に着呼があった場合、着呼を報知する音を音楽再生中の再生音楽に重畳する。このように構成すれば、音楽再生時に、着信があることを容易に認識することができる。
【００１５】
上記の一の局面による携帯電話装置において、好ましくは、電話番号を記憶する電話番号記憶手段をさらに備え、音楽再生手段による音楽再生中に、電話番号記憶手段に記憶された電話番号から着呼があった場合、着呼を報知する音を音楽再生中の再生音楽に重畳する。このように構成すれば、音楽再生時に、電話番号を記憶している電話番号から着呼があった場合にのみ着呼を知らせるので、第３者からの間違い電話や迷惑電話等によって音楽再生を妨害されるという使用者の不快感を解消することができる。
【００１６】
さらに、この場合、音楽再生手段による音楽再生中に、電話番号記憶手段に記憶された電話番号以外から着呼があった場合、着呼処理を行わないようにするのが好ましい。これにより、通話の必要のない人からの着呼により妨害されることなく、音楽を聞き続けることができる。
【００１７】
また、上記の一の局面による携帯電話装置において、好ましくは、電話番号を記憶する電話番号記憶手段と、電話番号記憶手段に登録した電話番号のうち、着呼許可する電話番号を選択設定する着呼設定手段とをさらに備え、音楽再生手段による音楽再生中に、着呼設定手段により着呼許可された電話番号から着呼があった場合、着呼を報知する音を音楽再生中の再生音楽に重畳する。このように構成すれば、音楽再生時に、電話番号を記憶している電話番号のうち着信許可を選択した電話番号から着呼があった場合にのみ着呼を知らせるので、迷惑電話等により、音楽再生を妨害されるという使用者の不快感を解消することができる。
【００１８】
さらに、この場合、音楽再生手段による音楽再生中に、着呼設定手段により着呼許可された電話番号以外から着呼があった場合、着呼処理を行わないのが好ましい。これにより、通話の必要のない人からの着呼により妨害されることなく、音楽を聞き続けることができる。
【００１９】
また、上記の一の局面による携帯電話装置において、好ましくは、再生音楽の音量と前記着呼を報知する音の音量とを制御する音量制御手段をさらに備え、着呼を報知する音を音楽再生中の再生音楽に重畳する際に、音量制御手段により再生音楽の音量を時間の経過に伴って徐々に小さくする。このように構成すれば、音楽再生中に、着呼をより確実に認識することができる。
【００２０】
この場合、音量制御手段によって、着呼を報知する音の音量を一定に維持しながら、再生音楽の音量を時間の経過に伴って徐々に小さくするのが好ましい。
【００２１】
また、上記の一の局面による携帯電話装置において、好ましくは、再生音楽の音量と前記着呼を報知する音の音量とを制御する音量制御手段をさらに備え、着呼を報知する音を音楽再生中の再生音楽に重畳する際に、音量制御手段により着呼を報知する音の音量を時間の経過に伴って徐々に大きくする。このように構成すれば、音楽再生中に、着呼をより確実に認識することができる。
【００２２】
この場合、音量制御手段によって、再生音楽の音量を一定に維持しながら、着呼を報知する音の音量を時間の経過に伴って徐々に大きくするのが好ましい。
【００２３】
また、上記の一の局面による携帯電話装置において、着呼に応答した場合、通話手段による通話中は、再生音楽の再生を行わないようにしてもよい。
【００２４】
また、上記の一の局面による携帯電話装置において、好ましくは、着呼の報知形態を設定する設定手段をさらに備え、音楽再生手段による音楽再生中に着呼があった場合、設定手段により設定された着呼の報知形態に関わらず、着呼を少なくとも振動で報知する。このように構成すれば、設定手段により設定された着呼形態に関わらず、音楽再生出力を妨げることなく、着呼を確実に認識することができる。
【００２５】
この場合、設定手段により音声による報知を含む報知形態が設定されている場合、音声による報知を行わないのが好ましい。さらに、この場合、音声による報知は、少なくとも通話手段のスピーカによる報知を含んでいてもよい。
【００２６】
また、上記の一の局面による携帯電話装置において、好ましくは、着呼の報知形態を設定する設定手段をさらに備え、音楽再生手段による音楽再生中に着呼があった場合、設定手段により設定された着呼の報知形態に関わらず、着呼を少なくとも振動で報知する音楽優先モードと、音楽再生手段による音楽再生中に着呼があった場合、設定手段により設定された着呼の報知形態に従って着呼を報知する設定優先モードとが、切替可能である。
【００２７】
この場合、音楽優先モードでは、設定手段により音声による報知形態が設定されている場合、音声による報知を行わないのが好ましい。さらに、この場合、音声による報知は、少なくとも通話手段のスピーカによる報知を含んでいてもよい。
【００２８】
この発明の他の局面による携帯電話装置は、通話手段と音楽再生手段とを備えている。そして、音楽再生手段による音楽再生中に、通話手段による通話を行う場合、通話の通話音声を音楽再生中の再生音楽に重畳する。このように構成することによって、音楽再生を停止することなく基本機能である通話機能を確保することができる。その結果、通話により音楽再生を妨害されるという使用者の不快感を解消することができる。
【００２９】
上記の他の局面による携帯電話装置において、好ましくは、電話番号を記憶する電話番号記憶手段をさらに備え、音楽再生手段による音楽再生中に電話番号記憶手段に記憶されている電話番号と通話を行う場合、通話の通話音声を音楽再生中の再生音楽に重畳する。このように構成すれば、音楽再生時に、電話番号を記憶している電話番号から着呼があった場合にのみ通話を行うので、第３者からの間違い電話や迷惑電話等によって、音楽再生を妨害されるという使用者の不快感を解消することができる。
【００３０】
この場合、通話の通話音声の音量と音楽再生中の再生音楽の音量とは、任意に設定可能であるのが好ましい。このように構成すれば、状況に応じて通話の通話音声の音量と音楽再生中の再生音楽の音量とを適切な音量に設定することができる。
【００３１】
さらに、この場合、電話番号記憶手段に記憶されている電話番号に対応して通話の通話音声の音量と音楽再生中の再生音楽の音量とを任意に設定可能であるのが好ましい。
【００３２】
この発明のもう一つの局面による携帯電話装置は、通話手段と、音楽再生手段とを備え、通話手段による通話中に、第３者からの割り込み着呼があった場合、割り込み着呼に対応した音楽を音楽再生手段により再生し、再生音楽を通話の通話音声に重畳する。このように構成することによって、使用者が通話中である場合に、通話を瞬断することなく、所望の音楽により第３者から割り込み通話があったことを認識することができる。
【００３３】
上記のもう一つの局面による携帯電話装置において、好ましくは、再生音楽の音量と通話の通話音声の音量とを制御する音量制御手段をさらに備え、割り込み着呼に対応する再生音楽を通話の通話音声に重畳する際に、音量制御手段により通話の通話音声の音量を小さくする。このように構成すれば、第３者から割り込み通話があったことをより確実に認識することができる。
【００３４】
また、上記のもう一つの局面による携帯電話装置において、好ましくは、再生音楽の音量と通話の通話音声の音量とを制御する音量制御手段をさらに備え、第３者からの割り込み着呼に応答した場合に、通話者および待機者の３者間の接続状態が継続している間は、音量制御手段により割り込み着呼に対応する再生音楽の音量を低くして、通話の通話音声に重畳させる。このように構成すれば、通話者は、第３者が接続状態にあることを容易に認識することができる。
【発明を実施するための最良の形態】
【００３５】
以下、本発明を具現化した実施の形態を図面に基づいて説明する。
（第１実施形態）
まず、図１および図２を参照して、本発明の第１実施形態による携帯電話装置１００について説明する。この第１実施形態による携帯電話装置１００は、図１に示すように、通信制御部１０１と、スピーカ１０２と、マイク１０３と、Ａ／Ｄ・Ｄ／Ａ処理部１０４と、キー入力部１０５と、バッテリ１０６と、電源電圧検出部１０７と、ディスプレイ１０８と、表示制御部１０９と、音楽情報記憶部１１０と、主制御部１１１と、ヘッドホン端子１１２と、音声出力制御部１１３とを備えている。
【００３６】
通信制御部１０１は、公知の携帯電話の通信処理を有し、アンテナを介して無線通信回線網との間で音声情報の送受信を行う。また、Ａ／Ｄ・Ｄ／Ａ処理部１０４は、マイク１０３からの使用者の音声（通話音声）をＡ／Ｄ変換して通信制御部１０１に供給し、且つ、通信制御部１０１からの音声情報をＤ／Ａ変換して音声出力制御部１１３に供給する。
【００３７】
キー入力部１０５は、使用者による電話番号入力や操作指示入力を行うテンキー等により構成される。バッテリ１０６は、二次電池により構成されている。電源電圧検出部１０７は、バッテリ１０６の出力電圧を検出する。また、表示制御部１０９は、ＬＣＤ等により構成されるディスプレイ１０８の表示制御を行う。音楽情報記憶部１１０は、複数の音楽情報を記憶可能である。音声出力制御部１１３は、Ａ／Ｄ・Ｄ／Ａ処理部１０４から供給された通話音声と再生音楽とをミキシングしてスピーカ１０２またはヘッドホン端子１１２に供給する。主制御部１１１は、全てを統括制御する。
【００３８】
なお、音楽情報記憶部１１０は、磁気ディスクやスマートメディア等の外部記憶媒体により構成され、予め音楽情報が所望の圧縮処理により複数記憶されている。
【００３９】
図２を参照して、Ａ／Ｄ・Ｄ／Ａ処理部１０４から供給された通話音声は、通話音量調整部２０３に供給される。また、Ａ／Ｄ・Ｄ／Ａ処理部１０４から供給された再生音楽は、音楽音量調整部２０５に供給される。ゲインコントロール部２０１は、主制御部１１１からの指示に従い、通話音声および再生音楽を適切な音量に調整するように、通話音量調整部２０３および音楽音量調整部２０５を制御する。なお、このゲインコントロール部２０１が、本発明の「音量制御手段」に相当する。通話音量調整部２０３および音楽音量調整部２０５から出力された通話音声および再生音楽は、ミキサ２０６によりミキシングされ、スピーカ１０２またはヘッドホン端子１１２に供給される。
【００４０】
次に、第１実施形態の携帯電話装置における通常の通話機能の動作について簡単に説明する。
【００４１】
まず、図１を参照して、使用者は、所望の相手先電話番号をキー入力部１０５から入力する。それにより、主制御部１１１は、入力された電話番号と接続するように通信制御部１０１に指示する。これにより、通信制御部１０１は、公知の携帯電話の無線通信処理により無線公衆回線網と接続を行う。なお、携帯電話の無線通信処理は、公知の技術を用いるので、詳しい説明は省略する。
【００４２】
通話時に、使用者の音声は、マイク１０３から入力され、Ａ／Ｄ・Ｄ／Ａ処理部１０４によりＡ／Ｄ変換して主制御部１１１に供給される。主制御部１１１は、デジタル化された音声データを所定の音声圧縮符号化方式により符号化して通信制御部１０１に供給する。そして、通信制御部１０１により公知の通信変調処理を施し、無線公衆回線に送信される。
【００４３】
相手先の音声は、通信制御部１０１により無線公衆回線から受信され、公知の通信復調処理が施されて主制御部１１１に供給される。主制御部１１１は、受信した音声情報を所定の音声圧縮符号化方式に基づいて音声データに復号化するとともに、その音声データをＡ／Ｄ・Ｄ／Ａ処理部１０４に供給する。その音声データは、Ａ／Ｄ・Ｄ／Ａ処理部１０４によりＤ／Ａ変換されて、図２に示した音声出力制御部１１３内の通話音量調整部２０３に供給される。そして、その音声データは、ミキサ２０６を介してスピーカ１０２またはヘッドホン端子１１２に供給される。
【００４４】
この場合、通話音声だけが出力されるため、ゲインコントロール部２０１からは、再生音楽出力を停止するように、音楽音量調整部２０５に対してミュート処理の指示が出力される。
【００４５】
次に、第１実施形態の携帯電話装置における音楽再生機能の動作について説明する。
【００４６】
まず、図１を参照して、主制御部１１１が、音楽情報記憶部１１０に記憶されている音楽の曲名の一覧を読み出し、表示制御部１０９を介してディスプレイ１０８に表示する。
【００４７】
使用者は、キー入力部１０５により、ディスプレイ１０８に表示された曲名一覧から再生したい所望の音楽曲名を選択し、再生する旨の指示を入力する。なお、曲名選択および再生指示は、携帯電話装置のキー入力部１０５のテンキー等に対応づけられている。したがって、曲名選択および再生指示の対応するテンキーを押圧することにより、曲名選択および再生指示ができるものとする。
【００４８】
主制御部１１１は、所望の音楽情報を音楽情報記憶部１１０から読み出し、それぞれに対応する伸張処理を施した後、Ａ／Ｄ・Ｄ／Ａ処理部１０４に供給する。その音楽情報がＡ／Ｄ・Ｄ／Ａ処理部１０４によりＤ／Ａ変換されて音声出力制御部１１３に供給されて、図２に示した音声出力制御部１１３内の音楽音量調整部２０５に供給される。そして、その音楽情報は、ミキサ２０６を介してスピーカ１０２またはヘッドホン端子１１２に供給される。
【００４９】
この場合、再生音楽だけが出力されるため、ゲインコントロール部２０１からは通話音声出力を停止するよう、通話音量調整部２０３に対してミュート処理の指示が出力される。
【００５０】
上記した通話機能または音楽再生機能の動作の間、電源電圧検出部１０７は、バッテリ１０６の出力電圧を常時監視するとともに、バッテリの出力電圧に対応する情報を主制御部１１１に供給する。主制御部１１１は、電源電圧検出部１０７からの情報に基づき、表示制御部１０９を介してディスプレイ１０８に視覚的なバッテリ残量を表示する。
【００５１】
次に、図１および図２を参照して、第１実施形態の携帯電話装置において、音楽再生機能の動作中に電話の着呼があった場合について説明する。
【００５２】
音楽再生の指示については、上記した動作と同様であるので、その説明を省略する。この場合、主制御部１１１は、所望の音楽情報を音楽情報記憶部１１０から読み出し、それぞれに対応する伸張処理を施した後、Ａ／Ｄ・Ｄ／Ａ処理部１０４に供給する。その音楽情報は、Ａ／Ｄ・Ｄ／Ａ処理部１０４によりＤ／Ａ変換されて音声出力制御部１１３内の音楽音量調整部２０５に供給される。そして、その音楽情報は、ミキサ２０６を介してスピーカ１０２またはヘッドホン端子１１２に供給される。この時、再生音楽だけが出力されるため、ゲインコントロール部２０１からは通話音声出力を停止するよう、通話音量調整部２０３に対してミュート処理の指示が出力される。
【００５３】
この状態で、無線通信回線網より着呼があった場合、通信制御部１０１を介して着呼信号は主制御部１１１に供給される。
【００５４】
主制御部１１１は、着呼を使用者に報知するために、表示制御部１０９を介してディスプレイ１０８に着呼がある旨のメッセージを出力する。それと同時に、 音声出力制御部１１３を介して、着呼がある旨を知らせるビープ音やコーリング音等の呼出音を所定の音量で、スピーカ１０２またはヘッドホン端子１１２により報知する。この場合、呼出音は、Ａ／Ｄ・Ｄ／Ａ処理部１０４を介して、音声出力制御部１１３内の通話音量調整部２０３に供給される。
【００５５】
そして、ゲインコントロール部２０１から音楽音量調整部２０５に対し、再生音楽の音量を所定の音量となるように、低音量で出力する旨の音楽音量調整指示がなされる。そして、ミキサ２０６により、低音量となった再生音楽と呼出音とがミキシングされスピーカ１０２またはヘッドホン端子１１２に供給される。これにより、使用者が音楽情報記憶部１１０に記憶されている音楽を聞いている場合にも、着呼があったことを確実に認識することができる。
【００５６】
なお、第１実施形態では、再生音楽と呼出音とをミキシングする際に、再生音楽の音量を低くしているが、再生音楽の音量を変えることなく、呼出音とミキシングしてもよい。
【００５７】
また、再生音楽と呼出音とをミキシングする際に、再生音楽の音量を低くする場合、再生音楽の音量を時間の経過にともなって徐々に低くするようなミュート処理を行うようにしてもよい。このミュート処理では、ゲインコントロール部２０１から音楽音量調整部２０５に対し、再生音楽の音量を徐々に低くする旨の音楽音量調整指示が出力される。
【００５８】
また、再生音楽と呼出音とをミキシングする際に、再生音楽の音量を低くせずに、着呼の音量を時間の経過にともなって徐々に大きくするようにしてもよい。この処理では、ゲインコントロール部２０１から着呼の音量を時間の経過にともなって徐々に大きくするように、通話音量調整部２０３に対して指示が出力される。
【００５９】
使用者がキー入力部１０５等のキー操作により着呼に対して応答した場合、通話が確立される。電話の通話音声は、Ａ／Ｄ・Ｄ／Ａ処理部１０４および音声出力制御部１１３内の通話音量調整部２０３を介してミキサ２０６に供給される。一方、再生音楽については、Ａ／Ｄ・Ｄ／Ａ処理部１０４および音声出力制御部１１３内の音楽音量調整部２０５を介して所定の音量となった再生音楽が、ミキサ２０６に供給される。ミキサ２０６により、音量が低くなった再生音楽と電話の通話音声とがミキシングされてスピーカ１０２またはヘッドホン端子１１２に供給される。これにより、使用者が音楽情報記憶部１１０に記憶されている音楽を聞いている場合にも、音楽を聞きながら通話が可能となる。
【００６０】
なお、第１実施形態では、使用者が着呼に対して応答した場合、再生音楽の音量を低くし、通話音声と重畳させて出力しているが、通話中は音楽を出力しないように、ゲインコントロール部２０１から再生音楽出力を停止するよう音楽音量調整部２０５に対してミュート処理の指示を出力するようにしてもよい。更に、音楽の再生処理全体を停止するようにしてもよい。
【００６１】
また、使用者が着呼に対して応答しなかった場合、ゲインコントロール部２０１から音楽音量調整部２０５に対する音楽音量調整の指示が停止され、通常音量の再生音楽がミキサ２０６を介してスピーカ１０２またはヘッドホン端子１１２に供給される。
（第２実施形態）
次に、図２および図３を参照して、第２実施形態の携帯電話装置について説明する。この第２実施形態では、予め着呼を許可した電話番号を、主制御部１１１が管理する図３に示すような電話番号記憶部（メモリ）１１４に登録してあるものとする。なお、この電話番号記憶部（メモリ）１１４が、本発明の「電話番号記憶手段」に相当する。以下、第２実施形態の携帯電話装置において、音楽再生機能の動作中に電話の着呼があった場合について説明する。
【００６２】
音楽再生の指示については前述した動作と同様であるので、その説明を省略する。主制御部１１１は、所望の音楽情報を音楽情報記憶部１１０から読み出し、それぞれに対応する伸張処理を施した後、Ａ／Ｄ・Ｄ／Ａ処理部１０４に供給する。その音楽情報は、Ａ／Ｄ・Ｄ／Ａ処理部１０４によってＤ／Ａ変換されて、図２に示した音声出力制御部１１３内の音楽音量調整部２０５に供給される。そして、その音楽情報は、ミキサ２０６を介してスピーカ１０２またはヘッドホン端子１１２に供給される。この時、再生音楽だけが出力されるため、ゲインコントロール部２０１からは通話音声出力を停止するよう、通話音量調整部２０３に対してミュート処理の指示が出力される。
【００６３】
この状態で、無線通信回線網より着呼があった場合、通信制御部１０１を介して着呼信号は主制御部１１１に供給される。
【００６４】
主制御部１１１は、着呼が、電話番号記憶部（メモリ）１１４に記憶されている着呼を許可する電話番号からのものか否かを判断する。着呼が、電話番号記憶部（メモリ）１１４に記憶されている着呼を許可する電話番号からの着呼であった場合、前述の場合と同様に、主制御部１１１は、着呼を使用者に報知するために、表示制御部１０９を介してディスプレイ１０８に着呼がある旨のメッセージを出力する。また、それと同時に、音声出力制御部１１３を介して、着呼がある旨を知らせるビープ音やコーリング音等の呼出音を、所定の音量でスピーカ１０２またはヘッドホン端子１１２により報知する。
【００６５】
この場合、呼出音は、Ａ／Ｄ・Ｄ／Ａ処理部１０４を介して、音声出力制御部１１３内の通話音量調整部２０３に供給される。そして、ゲインコントロール部２０１から音楽音量調整部２０５に対し、再生音楽の音量を所定の音量となるように低音量で出力する旨の指示がなされる。そして、ミキサ２０６により、低音量となった再生音楽と呼出音とがミキシングされスピーカ１０２またはヘッドホン端子１１２に供給される。これにより、使用者が音楽情報記憶部１１０に記憶されている音楽を聞いている場合にも、着呼許可した相手から着呼があったことを確実に認識することができる。
【００６６】
なお、この第２実施形態では、再生音楽と呼出音とをミキシングする際に、再生音楽の音量を低くしているが、再生音楽の音量を変えることなく、呼出音とミキシングしてもよい。また、再生音楽と呼出音とをミキシングする際に、再生音楽の音量を低くする場合、再生音楽の音量を時間の経過にともなって徐々に低くするようなミュート処理を行うようにしてもよい。このミュート処理では、ゲインコントロール部２０１から音楽音量調整部２０５に対し、再生音楽の音量を徐々に低くする旨の音楽音量調整指示が出力される。
【００６７】
また、再生音楽と呼出音とをミキシングする際に、再生音楽の音量を低くせずに、着呼の音量を時間の経過にともなって徐々に大きくするようにしてもよい。この処理では、ゲインコントロール部２０１から着呼の音量を時間の経過にともなって徐々に大きくするように、通話音量調整部２０３に対して指示が出力される。
【００６８】
また、第２実施形態では、電話番号記憶部（メモリ）１１４に記憶されている電話番号を着呼許可の電話番号としているが、メモリに記憶されている電話番号の中で、着呼許可する電話番号を選択するようにし、この選択された電話番号からの着呼しか許可しないようにしてもよい。なお、この選択方法は、電話番号記憶部（メモリ）１１４に記憶されている電話番号の一覧を読み出し、表示制御部１０９を介してディスプレイ１０８に表示し、キー入力部１０５により、ディスプレイ１０８に表示された電話番号から、着呼を許可する電話番号を選択するものとする。なお、キー入力部１０５が、本発明の「着呼設定手段」に相当する。
【００６９】
使用者がキー入力部１０５等のキー操作により着呼に対して応答した場合、通話が確立される。電話の通話音声は、Ａ／Ｄ・Ｄ／Ａ処理部１０４および音声出力制御部１１３内の通話音量調整部２０３を介してミキサ２０６に供給される。
【００７０】
一方、再生音楽については、Ａ／Ｄ・Ｄ／Ａ処理部１０４および音声出力制御部１１３内の音楽音量調整部２０５を介して所定の音量となった再生音楽が、ミキサ２０６に供給される。ミキサ２０６により、低音量の再生音楽と電話の通話音声とがミキシングされスピーカ１０２またはヘッドホン端子１１２に供給される。これにより、使用者が音楽情報記憶部１１０に記憶されている音楽を聞いている場合にも、音楽を聞きながら通話が可能となる。
【００７１】
なお、第２実施形態では、使用者が着呼に対して応答した場合、再生音楽の音量を低くし、通話音声と重畳させて出力しているが、通話中は音楽を出力しないように、ゲインコントロール部２０１から再生音楽出力を停止するよう音楽音量調整部２０５に対してミュート処理の指示を出力するようにしてもよい。更に、音楽の再生処理全体を停止するようにしてもよい。
【００７２】
また、使用者が着呼に対して応答しなかった場合、ゲインコントロール部２０１から音楽音量調整部２０５に対する音楽音量調整の指示が停止され、通常音量の再生音楽がミキサ２０６を介してスピーカ１０２またはヘッドホン端子１１２に供給される。
【００７３】
一方、主制御部１１１が管理する電話番号記憶部（メモリ）１１４に記憶されていない（着呼を許可されていない）電話番号からの着呼であった場合、着呼に対して応答せず、現状のまま通常音量の再生音楽をミキサ２０６を介してスピーカ１０２またはヘッドホン端子１１２に供給する。つまり、着呼が許可されていない電話番号からの着呼の場合は、着呼を無視する。具体的には、ディスプレイ１０８への表示および着呼を示す旨の呼出音（ビープ音やコーリング音）のスピーカ１０２またはヘッドホン端子１１２による報知をすることなく（再生音楽と呼出音を重畳させることもなく）、通常の音楽再生を続ける。これにより、通話の必要のない人からの着呼により妨害されることなく、音楽を聞き続けることができる。
【００７４】
上記した第２本実施形態では、通話音声と再生音楽とをミキシングする場合、再生音楽を所定の音量となるように音量調整しているが、通話音声と再生音楽とを使用者の任意の音量に調整できるようにしてもよい。また、第２実施形態においては、電話番号記憶部（メモリ）１１４に記憶されている着呼を許可する電話番号のそれぞれに対応して、通話音声と再生音楽とを使用者の任意の音量に調整できるようにしてもよい。
（第３実施形態）
次に、図１および図２を参照して、第３実施形態の携帯電話装置において、通話中の場合に、第３者からの割り込み通話の着呼があった場合について説明する。この第３実施形態では、通信事業者が提供する、第３者から割り込み通話が可能な設定となっているものとする。なお、この第３実施形態による携帯電話装置の構成は、図１および図２に示した第１実施形態による携帯電話装置の構成と同様である。
【００７５】
現在、通信事業者が提供している第３者からの割込通話サービスでは、通話中に割込着呼があると、通話を瞬断させ、その間隙に短いコーリング音を出力して使用者に報知するサービスが提供されている。この場合、通話中の使用者は、通話が瞬断され、更には耳障りなコーリング音を聞くことになり、不快感を有している。
【００７６】
携帯電話装置が通話中の状態にある場合、相手の通話音声は、通信制御部１０１および主制御部１１１を介して、Ａ／Ｄ・Ｄ／Ａ処理部１０４に供給される。そして、その相手の通話音声は、Ａ／Ｄ・Ｄ／Ａ処理部１０４および音声出力制御部１１３内の通話音量調整部２０３を介してミキサ２０６に供給される。この時、通話音声だけが出力されているため、ゲインコントロール部２０１からは再生音楽出力を停止するよう、音楽音量調整部２０５に対してミュート処理の指示が出力される。
【００７７】
この通話中の状態において、第３者からの割り込み通話の着呼があった場合、通信制御部１０１を介して割込着呼信号が主制御部１１１に供給される。
【００７８】
主制御部１１１は、第３者からの割込着呼を使用者に報知するために、表示制御部１０９を介してディスプレイ１０８に割込着呼がある旨のメッセージを出力する。また、それと同時に、割込着呼が続いている間、音声出力制御部１１３を介して、第３者からの割込着呼がある旨を、音楽情報記憶部１１０に記憶されている所望の音楽を割込着呼音として、所定の音量でスピーカ１０２またはヘッドホン端子１１２により報知する。
【００７９】
この場合、音楽の割込着呼音は、Ａ／Ｄ・Ｄ／Ａ処理部１０４を介して、音声出力制御部１１３内の音楽音量調整部２０５に供給される。そして、ゲインコントロール部２０１から通話音量調整部２０３に対し、通話音声の音量を所定の音量となるように低音量で出力する旨の指示がなされる。そして、ミキサ２０６により、低音量となった通話音声と音楽の割込着呼音とがミキシングされてスピーカ１０２またはヘッドホン端子１１２に供給される。これにより、使用者が通話中にある場合に、通話を瞬断することなく、更には耳障りなコーリング音を聞くことなく、所望の音楽により、第３者からの割り込み通話の着呼があったことを認識することができる。
【００８０】
なお、割込着呼音として用いる音楽は、予め、音楽情報記憶部１１０に記憶されている音楽の曲名の一覧を読み出し、表示制御部１０９を介してディスプレイ１０８に表示し、キー入力部１０５により、ディスプレイ１０８に表示された曲名一覧から所望の音楽曲名を選択しておく。また、第３実施形態では、通話音声と音楽の割込着呼音とをミキシングする際に、通話音声の音量を低くしているが、通話音声の音量を変えることなく、音楽の割込着呼音とミキシングしてもよい。
【００８１】
使用者がキー入力部１０５等のキー操作により第３者からの割り込み着呼に対して応答した場合、第３者との通話が確立され、主制御部１１１は、音楽の割込着呼音を出力しないように、ゲインコントロール部２０１からは音楽の割込着呼音の出力を停止するするよう、音楽音量調整部２０５に対してミュート処理の指示が出力される。
【００８２】
なお、第３者からの割り込み着呼に応答した場合には、一時的に割込者との二者間での通話となるが、前に通話していたもう一人の話者は待機中となるため、実質的に３者が接続状態となっている。この３者の接続状態が続いている間は、音楽の割込着呼音を低音量にして、通話音声に重畳させるようにしてもよい。これにより、通話者は、３者が接続状態にあることを容易に認識することができる。
【００８３】
また、使用者が第３者からの割込着呼に対して応答しなかった場合、ゲインコントロール部２０１から通話音量調整部２０３に対する通話音声出力の音量調整の指示が停止され、通常音量の通話音声がミキサ２０６を介してスピーカ１０２またはヘッドホン端子１１２に供給される。
【００８４】
なお、上記第１〜第３実施形態では、図１および図３において、音声出力制御部１１３をＤ／Ａ・Ａ／Ｄ処理部１０４と、スピーカ１０２およびヘッドホン端子１１２の間に設けアナログ処理するように説明したが、Ｄ／Ａ・Ａ／Ｄ処理部１０４と主制御部１１との間に音声出力制御部１１３を設け、デジタル処理を行うことができることはいうまでもない。
（第４実施形態）
次に、図４および図５を参照して、本発明の第４実施形態による携帯電話装置３００について説明する。この第４実施形態による携帯電話装置３００は、図１に示した第１実施形態の携帯電話装置１００と同様、図４に示すように、通信制御部１０１と、スピーカ１０２と、マイク１０３と、Ａ／Ｄ・Ｄ／Ａ処理部１０４と、キー入力部１０５と、バッテリ１０６と、電源電圧検出部１０７と、ディスプレイ１０８と、表示制御部１０９と、音楽情報記憶部１１０と、主制御部１１１と、ヘッドホン端子１１２と、音声出力制御部３１３とを備えている。この通信制御部１０１、スピーカ１０２、マイク１０３、Ａ／Ｄ・Ｄ／Ａ処理部１０４、キー入力部１０５、バッテリ１０６、電源電圧検出部１０７、ディスプレイ１０８、表示制御部１０９、音楽情報記憶部１１０、主制御部１１１およびヘッドホン端子１１２の構成および機能は、第１実施形態と同様である。
【００８５】
さらに、この第４実施形態の携帯電話装置３００は、第１実施形態と異なり、振動制御部３１４と、バイブレータ３１５とを備えている。振動制御部３１４は、回転軸に偏心重りを装着したモータなどにより構成されるバイブレータ３１５の振動制御を行う。なお、ヘッドホン端子１１２には、ヘッドホン３０１が装着可能である。
【００８６】
図５を参照して、Ａ／Ｄ・Ｄ／Ａ処理部１０４から供給された通話音声は、スピーカ出力切替部４０１の入出力端子４０１ａと、ヘッドホン出力切替部４０２の入出力端子４０２ａとに供給される。また、Ａ／Ｄ・Ｄ／Ａ処理部１０４から供給された再生音楽は、スピーカ出力切替部４０１の入出力端子４０１ｂと、ヘッドホン出力切替部４０２の入出力端子４０２ｂとに供給される。
【００８７】
スピーカ出力切替部４０１は、主制御部１１１からの指示に従い、入出力端子４０１ａまたは４０１ｂのいずれかを出力端子に接続するように切り替える。また、ヘッドホン出力切替部４０２は、主制御部１１１からの指示に従い、入出力端子４０２ａまたは４０２ｂのいずれかを出力端子に接続するように切り替える。
これにより、通話音声および再生音楽は、スピーカ出力切替部４０１およびヘッドホン出力切替部４０２のそれぞれの切替位置に応じて、スピーカ１０２またはヘッドホン端子１１２のいずれにも供給可能となる。なお、通話音声および再生音楽を、スピーカ１０２またはヘッドホン端子１１２のいずれから出力させるかは、キー入力部１０５を操作することにより設定される。
【００８８】
次に、第４実施形態の携帯電話装置における通常の通話機能の動作について簡単に説明する。
【００８９】
まず、図４を参照して、使用者は、所望の相手先電話番号をキー入力部１０５から入力する。それにより、主制御部１１１は、入力された電話番号と接続するように通信制御部１０１に指示する。これにより、通信制御部１０１は、公知の携帯電話の無線通信処理により無線公衆回線網と接続を行う。なお、携帯電話の無線通信処理は、公知の技術を用いるので、詳しい説明は省略する。
【００９０】
通話時に、使用者の音声は、マイク１０３から入力され、Ａ／Ｄ・Ｄ／Ａ処理部１０４によりＡ／Ｄ変換して主制御部１１１に供給される。主制御部１１１は、デジタル化された音声データを所定の音声圧縮符号化方式により符号化して通信制御部１０１に供給する。そして、通信制御部１０１により公知の通信変調処理を施し、無線公衆回線に送信される。
【００９１】
相手先の音声は、通信制御部１０１により無線公衆回線から受信され、公知の通信復調処理が施されて主制御部１１１に供給される。主制御部１１１は、受信した音声情報を所定の音声圧縮符号化方式に基づいて音声データに復号化するとともに、その音声データをＡ／Ｄ・Ｄ／Ａ処理部１０４に供給する。その音声データは、Ａ／Ｄ・Ｄ／Ａ処理部１０４によりＤ／Ａ変換されて、図５に示した音声出力制御部３１３内におけるスピーカ出力切替部４０１の入出力端子４０１ａと、ヘッドホン出力切替部４０２の入出力端子４０２ａとに供給される。
【００９２】
このとき、予め使用者がキー入力部１０５を操作して、スピーカ１０２による通話音声の出力を主制御部１１１に指示している場合には、スピーカ出力切替部４０１が入出力端子４０１ａ側に接続される。また、予め使用者がキー入力部１０５を操作して、ヘッドホン３０１による通話音声の出力を主制御部１１１に指示している場合には、ヘッドホン出力切替部４０２が入出力端子４０２ａ側に接続される。
【００９３】
次に、第４実施形態の携帯電話装置における音楽再生機能の動作について説明する。
【００９４】
まず、図４を参照して、主制御部１１１が、音楽情報記憶部１１０に記憶されている音楽の曲名の一覧を読み出し、表示制御部１０９を介してディスプレイ１０８に表示する。
【００９５】
使用者は、キー入力部１０５により、ディスプレイ１０８に表示された曲名一覧から再生したい所望の音楽曲名を選択し、再生する旨の指示を入力する。なお、曲名選択および再生指示は、携帯電話装置のキー入力部１０５のテンキー等に対応づけられている。したがって、曲名選択および再生指示の対応するテンキーを押圧することにより、曲名選択および再生指示ができるものとする。
【００９６】
主制御部１１１は、所望の音楽情報を音楽情報記憶部１１０から読み出し、それぞれに対応する伸張処理を施した後、Ａ／Ｄ・Ｄ／Ａ処理部１０４に供給する。その音楽情報がＡ／Ｄ・Ｄ／Ａ処理部１０４によりＤ／Ａ変換されて音声出力制御部１１３に供給されて、図５に示した音声出力制御部３１３内のスピーカ出力切替部４０１の入出力端子４０１ｂと、ヘッドホン出力切替部４０２の入出力端子４０２ｂとに供給される。そして、その音楽情報は、主制御部１１１からの指示に従い、スピーカ１０２またはヘッドホン端子１１２を介してヘッドホン３０１に供給される。
【００９７】
このとき、予め使用者がキー入力部１０５を操作して、スピーカ１０２による音楽再生を主制御部１１１に指示している場合には、スピーカ出力切替部４０１が入出力端子４０１ｂ側に接続される。また、予め使用者がキー入力部１０５を操作して、ヘッドホン３０１による音楽再生を主制御部１１１に指示している場合には、ヘッドホン出力切替部４０２が入出力端子４０２ｂ側に接続される。
【００９８】
上記した通話機能または音楽再生機能の動作の間、電源電圧検出部１０７は、バッテリ１０６の出力電圧を常時監視するとともに、バッテリの出力電圧に対応する情報を主制御部１１１に供給する。主制御部１１１は、電源電圧検出部１０７からの情報に基づき、表示制御部１０９を介してディスプレイ１０８に視覚的なバッテリ残量を表示する。
【００９９】
次に、図４および図５を参照して、第４実施形態の携帯電話装置において、音楽再生機能の動作中に電話の着呼があった場合の音楽優先モードと設定優先モードの動作について説明する。
【０１００】
なお、着呼の報知形態としては、スピーカ１０２またはヘッドホン３０１による音声報知と、バイブレータ３１５による振動報知と、両者を組み合わせた音声・振動報知とがある。この着呼の報知形態は、キー入力部１０５の操作により設定される。
【０１０１】
音楽再生の指示については、上記した動作と同様であるので、その説明を省略する。この場合、主制御部１１１は、所望の音楽情報を音楽情報記憶部１１０から読み出し、それぞれに対応する伸張処理を施した後、Ａ／Ｄ・Ｄ／Ａ処理部１０４に供給する。その音楽情報は、Ａ／Ｄ・Ｄ／Ａ処理部１０４によりＤ／Ａ変換されて音声出力制御部３１３内におけるスピーカ出力切替部４０１の入出力端子４０１ｂと、ヘッドホン出力切替部４０２の入出力端子４０２ｂとに供給される。
【０１０２】
使用者が予めキー入力部１０５を操作して、スピーカ１０２による音楽再生を主制御部１１１に指示している場合には、スピーカ出力切替部４０１が入出力端子４０１ｂ側に接続されている。また、予め使用者がキー入力部１０５を操作して、ヘッドホン３０１による音楽再生を主制御部１１１に指示している場合には、ヘッドホン出力切替部４０２が入出力端子４０２ｂ側に接続されている。これにより、再生音楽がヘッドホン端子１１２を介してヘッドホン３０１、またはスピーカ１０２に供給される。
【０１０３】
この時、再生音楽だけが出力されるため、主制御部１１１は、Ａ／Ｄ・Ｄ／Ａ処理部１０４に対する通話音声の出力を停止している。
【０１０４】
この状態で、無線通信回線網より着呼があった場合、通信制御部１０１を介して着呼信号は主制御部１１１に供給される。
【０１０５】
ここで、設定優先モードが選択されている場合、主制御部１１１は、設定されている報知形態に従って、使用者に着呼を報知するように制御を行う。すなわち、音楽再生を行っていない場合と同様の報知形態で、使用者に着呼を報知する。
【０１０６】
したがって、着呼の報知形態としてスピーカ１０２による音声報知が選択されている場合、主制御部１１１は、通話音声と同様に、着呼を報知するための音声情報をＡ／Ｄ・Ｄ／Ａ処理部１０４を介して音声出力制御部３１３に供給する。このため、スピーカ１０２から再生音楽が出力中であったとしても、それを中断して着呼の音声報知がスピーカ１０２により行われる。また、ヘッドホン３０１から再生音楽が出力中である場合は、それを継続しながら着呼の音声報知がスピーカ１０２により行われる。
【０１０７】
一方、音楽優先モードが選択されている場合、主制御部１１１は、設定されている報知形態に関わらず、使用者に着呼を報知するために、振動制御部３１４に駆動信号を出力して、バイブレータ３１５を振動させる。それと同時に、主制御部１１１は、表示制御部１０９を介してディスプレイ１０８に着呼がある旨のメッセージを出力する。
【０１０８】
これにより、音楽優先モードにおいては、音楽情報記憶部１１０に記憶されている音楽を聞いている場合にも、その音楽の再生を妨げることなく、着呼があったことを使用者が確実に認識することができる。
【０１０９】
また、キー入力部により音声報知が設定されている場合にも、その音声報知が行われないので、ヘッドホン３０１による音楽再生中にスピーカ１０２から着呼の音声報知が行われた場合に使用者がその着呼に気づかずに周囲に不快感を与えるという不都合を防止することができる。
【０１１０】
なお、音楽優先モードと設定優先モードとは、使用者がキー入力部１０５を操作することにより、いずれか一方が設定される。これにより、音楽再生中における着呼の報知形態が使用者の好みで自由に設定することができる。その結果、より使い易い携帯電話装置を提供することが可能となる。
【０１１１】
また、上記第４実施形態では、再生音楽による出力をスピーカ１０２またはヘッドホン３０１のどちらで行うかを使用者がキー入力部１０５を操作して設定する場合について説明したが、図６に示した第４実施形態の変形例のように構成してもよい。
【０１１２】
具体的には、図６に示した第４実施形態の変形例では、音声出力制御部３１３内に、ヘッドホン３０１のヘッドホン端子１１２への装着を検出するヘッドホン検出部４０３を設ける。そして、このヘッドホン検出部４０３の検出結果に基づいて、再生音楽および通話音声の出力をスピーカ１０２またはヘッドホン３０１のいずれで行うかを自動的に設定するように構成してもよい。
【０１１３】
この場合、ヘッドホン３０１がヘッドホン端子１１２に装着されると、それがヘッドホン検出部４０３によって検出されて主制御部１１１に入力される。これに応答して、主制御部１１１は、再生音楽および通話音声の出力をヘッドホン３０１から行うように制御する。これにより、キー入力部１０５による操作を行うことなく、自動的に再生音楽および通話音声の出力形態が決定される。その結果、操作が簡単になり、より使い易くなる。
【図面の簡単な説明】
【０１１４】
【図１】本発明の第１および第３実施形態による携帯電話装置を示した機能ブロック図である。
【図２】本発明の第１〜第３実施形態による携帯電話装置の音声出力制御部を示した機能ブロック図である。
【図３】本発明の第２実施形態による携帯電話装置を示した機能ブロック図である。
【図４】本発明の第４実施形態による携帯電話装置を示した機能ブロック図である。
【図５】本発明の第４実施形態による携帯電話装置の音声出力制御部を示した機能ブロック図である。
【図６】本発明の第４実施形態の変形例による携帯電話装置の音声出力制御部を示した機能ブロック図である。
【符号の説明】
【０１１５】
１００・・・携帯電話装置、１０２・・・スピーカ、１０１・・・通信制御部、１１０・・・音楽情報記憶部、１１１・・・主制御部、１１３・・・音声出力制御部、３１３・・・音声出力制御部、３１４・・・振動制御部、３１５・・・バイブレータ。
【図１】
2006197625.tif 000003
【図２】
2006197625.tif 000004
【図３】
2006197625.tif 000005
【図４】
2006197625.tif 000006
【図５】
2006197625.tif 000007
【図６】
2006197625.tif 000008